【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備え、
前記筐体の前記上部は、固体化学物質を含むカートリッジまたは固体化学物質が前記筐体の中に挿入されることを可能にする開口部を備え、前記装置は、キャップをさらに備え、前記キャップは、前記筐体の前記開口部をおおうように、かつ前記筐体の前記上部との水密接続を形成するように適合され、
装置は、カートリッジをさらに備え、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、前記筐体の前記上部と前記ノズルとの間において前記筐体の前記内部コンパートメントの中に収まるように適合され、前記カートリッジは、前記筐体の前記内部コンパートメントの中に位置している前記少なくとも１つの支持体と接触し、前記少なくとも１つの支持体は、前記カートリッジが前記筐体における前記開口部を通して前記内部コンパートメントの中に挿入され得るように、前記筐体の前記内部コンパートメント内に前記固体化学物質を含む前記カートリッジを位置付け、
前記カートリッジの第１の端部は、多孔質グリッドを備え、前記カートリッジが前記筐体の前記内部コンパートメントの中に位置付けられるとき、前記カートリッジは、前記第１の端部が前記ノズルの近傍に位置付けられ、前記第２の端部が前記筐体の前記上部の近傍に位置付けられるように、前記筐体の中に挿入される、装置。
【請求項２】
前記キャップは、前記開口部をあらわにするために、かつ前記固体化学物質または前記固体化学物質を含むカートリッジが前記筐体の前記内部コンパートメントの中に挿入されることを可能にするために、前記筐体から除去可能である、請求項１に記載の装置。
【請求項３】
前記ノズルは、エダクターを備えている、請求項１に記載の装置。
【請求項４】
前記エダクターは、前記エダクターから前記筐体の前記上部に向かう水流が前記筐体内に存在するように、前記筐体の中に位置付けられている、請求項３に記載の装置。
【請求項５】
前記エダクターは、少なくとも１つの流体吸入ポートを備え、前記少なくとも１つの流体吸入ポートは、ベンチュリ効果を生成し、前記筐体の前記下側部分の中の水が、前記入口を通って前記エダクターに進入する水を伴って前記エダクターに引き込まれることと、前記筐体の前記上部に向かって噴霧されることとを可能にする、請求項４に記載の装置。
【請求項６】
前記多孔質グリッドは、第１の表面と、反対側の第２の表面とを有し、前記第１の表面は、前記第１の表面から離れ、前記カートリッジの内側チャンバに向かって外向きに延びている複数の突起を備え、前記多孔質グリッドの第２の表面は、前記カートリッジの内部チャンバから見て外方に向いている、請求項１に記載の装置。
【請求項７】
前記複数の突起は、前記第１の表面から略垂直方向に延びている、請求項６に記載の装置。
【請求項８】
前記複数の突起は、第１の端部と、第２の端部とを有し、前記突起の前記第１の端部は、前記多孔質グリッドの前記第１の表面に位置し、前記突起の前記第２の端部は、前記突起の前記第１の端部の反対側にあり、前記突起の前記第２の端部は、テーパ状端部を備えている、請求項７に記載の装置。
【請求項９】
前記少なくとも１つの支持体は、一連の支持体を備え、前記一連の支持体は、前記筐体の前記内部コンパートメントの中に設置されるカートリッジが異なる高さに位置付けられることを可能にする、請求項１に記載の装置。
【請求項１０】
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備え、
前記少なくとも１つの支持体は、一連の支持体を備え、前記一連の支持体は、前記筐体の前記内部コンパートメントの中に設置されるカートリッジが異なる高さに位置付けられることを可能にし、
前記一連の支持体は、前記内部コンパートメントの各側面上に位置する一連の段を備え、各支持体は、前記内部コンパートメントの反対側に前記内部コンパートメント内に補完的支持体を有する、装置。
【請求項１１】
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備え、
前記筐体の前記上部は、固体化学物質を含むカートリッジまたは固体化学物質が前記筐体の中に挿入されることを可能にする開口部を備え、前記装置は、キャップをさらに備え、前記キャップは、前記筐体の前記開口部をおおうように、かつ前記筐体の前記上部との水密接続を形成するように適合され、
装置は、カートリッジをさらに備え、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、前記筐体の前記上部と前記ノズルとの間において前記筐体の前記内部コンパートメントの中に収まるように適合され、前記カートリッジは、前記筐体の前記内部コンパートメントの中に位置している前記少なくとも１つの支持体と接触し、前記少なくとも１つの支持体は、前記カートリッジが前記筐体における前記開口部を通して前記内部コンパートメントの中に挿入され得るように、前記筐体の前記内部コンパートメント内に前記固体化学物質を含む前記カートリッジを位置付け、
前記少なくとも１つの支持体は、一連の支持体を備え、前記一連の支持体は、前記筐体の前記内部コンパートメントの中に設置されるカートリッジが異なる高さに位置付けられることを可能にし、前記カートリッジは、上側部品と、下側部品とを備えている２つの部品を有し、前記上側部品および前記下側部品は、接続手段を用いて一緒に調節可能に接続される、装置。
【請求項１２】
接続手段は、戻り止めと、キャッチとを備え、前記上側部品または前記下側部品のうちの１つは、少なくとも１つの戻り止めを有し、前記戻り止めがない前記部品は、少なくとも１つのキャッチを有し、一方の部品の前記キャッチは、他方の部品の前記戻り止めを受け取るように適合され、前記戻り止めおよびキャッチは、前記上側部品を前記下側部品に接合し、前記カートリッジを形成する、請求項１１に記載の装置。
【請求項１３】
前記上側部品は、第１の端部と、第２の端部と、前記上側部品の第１の端部を前記上側部品の第２の端部に接合する側面とを有し、前記上側部品の第１の端部は、開口部を有し、前記上側部品の側面は、前記戻り止めを有し、
前記下側部品は、第１の端部と、第２の端部と、前記下側部品の第１の端部を前記下側部品の第２の端部に接合する側面とを有し、前記下側部品の第２の端部は、開口部を有し、前記下側部品の側面は、前記少なくとも１つのキャッチを有し、前記キャッチは、前記第１の上側部品および前記第２の下側部品が前記戻り止めおよびキャッチを介して接続されるように、前記上側部分の戻り止めを受け取るように適合されている、請求項１２に記載の装置。
【請求項１４】
前記下側部品の前記第２の端部は、前記下側部品の側面の外部表面が、前記上側部品の側面の内部表面に接触するように、前記上側部品の前記第１の端部の開口部の中に収まるようにサイズを決定され、成形され、前記上側部品の前記側面の内部表面上に少なくとも２つの戻り止めが存在し、前記下側部品の前記外部表面内に位置する複数のキャッチが存在する、請求項１３に記載の装置。
【請求項１５】
前記複数のキャッチは、前記下側部品の前記第２の端部の近傍に位置付けられた前記下側部品の前記外部側面に沿って位置付けられており、それによって、前記キャッチは、前記カートリッジの全長が調節されることを可能にし、前記カートリッジが前記装置の前記内部コンパートメント内に位置付けられるとき、前記下側部品の前記第１の端部が、前記ノズルのより近くまたはより遠くに位置付けられることを可能にする、請求項１４に記載の装置。
【請求項１６】
固体化学物質から水溶液を形成するための少なくとも１つの追加のモジュールをさらに備え、各追加のモジュールは、
ａ）上部と、側面と、底部とを有する追加の筐体であって、前記上部および前記底部は、前記側面によって互いに接続され、前記上部、前記側面、および前記底部は、追加の内部コンパートメントを形成し、前記追加の筐体は、上側部分と、下側部分とを有する、筐体と、
ｂ）前記追加の筐体の前記下側部分の中に位置している追加の入口であって、前記追加の入口は、前記固体化学物質と接触させられるべき水が前記追加の筐体に進入することを可能にする、追加の入口と、
ｃ）前記追加の筐体の前記上側部分の中に位置している追加の出口であって、前記追加の出口は、前記固体化学物質と接触させられた前記水が前記追加の筐体から退出することを可能にする、追加の出口と、
ｄ）前記追加の内部コンパートメント内に配置された追加のノズルであって、前記追加のノズルは、前記水の追加の入口に接続され、前記追加のノズルは、前記追加の筐体の前記下側部分において前記追加の筐体の前記追加の内部コンパートメント内に位置し、前記追加の入口を通って前記追加の筐体に進入する水が、前記追加の内部コンパートメント内の前記固体化学物質と接触することを可能にする、追加のノズルと、
ｅ）前記追加のノズルと前記追加の筐体の前記上部との間に位置付けられ、前記追加の内部コンパートメント内に位置している少なくとも１つの支持体であって、前記支持体は、前記固体化学物質を含むカートリッジを受け取り、それを前記追加の筐体の前記追加の内部コンパートメント内に位置付けるように、または前記筐体内で固体化学物質を支持するように適合されている、支持体と
を備えている、請求項１に記載の装置。
【請求項１７】
少なくとも１つの追加の水処理モジュールは、前記入口および前記追加の入口が単一の給水パイプに接続され、前記出口および前記追加の出口が同一の帰還パイプに接続されるように、第１の水処理モジュールと直列にある、請求項１６に記載の装置。
【請求項１８】
給水ラインと、水帰還ラインとをさらに備え、前記給水ラインおよび前記水帰還ラインは、主要流動ラインのバイパスラインを形成し、前記給水ラインは、第１の圧力を有する場所において水を移すように位置付けられ、前記水帰還ラインは、前記主要流動ラインの中の前記第１の圧力よりも低い第２の圧力を有する場所において処理済み水を戻すように位置付けられている、請求項１に記載の装置。
【請求項１９】
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備え、
前記支持体は、多孔質グリッドを備え、前記多孔質グリッドは、第１の表面と、反対側の第２の表面とを有し、前記第１の表面は、前記第１の表面から離れて上向きに延びている複数の突起を備えている、装置。
【請求項２０】
固体化学物質を保持するためのカートリッジであって、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、水処理装置の内部コンパートメントの中に収まるように適合されており、前記カートリッジの前記第１の端部は、水が前記内部チャンバ内の固体化学物質と接触することを可能にするための多孔質グリッドを備え、前記多孔質グリッドは、第１の表面と、反対側の第２の表面とを有し、前記第１の表面は、前記第１の表面から離れ、前記カートリッジの前記内側チャンバに向かって外向きに延びている複数の突起を備え、前記多孔質グリッドの前記第２の表面は、前記カートリッジの前記内部チャンバから見て外方に向いている、カートリッジ。
【請求項２１】
前記複数の突起は、第１の端部と、第２の端部とを有し、前記第１の端部は、前記多孔質グリッドの前記第１の表面に位置し、前記第２の端部は、前記突起の前記第１の端部の反対側にあり、前記第２の端部は、テーパ状端部を備えている、請求項２０に記載のカートリッジ。
【請求項２２】
前記カートリッジは、上側部品と、下側部品とを備え、前記上側部品および前記下側部品は、接続手段を用いて一緒に調節可能に接続される、請求項２０に記載のカートリッジ。
【請求項２３】
前記上側部品は、第１の端部と、第２の端部と、前記上側部品の前記第１の端部を前記上側部品の前記第２の端部に接合する側面とを有し、前記上側部品の前記第１の端部は、開口部を有し、前記上側部品の前記側面は、前記戻り止めを有し、
前記下側部品は、第１の端部と、第２の端部と、前記下側部品の第１の端部を前記下側部品の前記第２の端部に接合する側面とを有し、前記下側部品の前記第２の端部は、開口部を有し、前記下側部品の前記側面は、前記少なくとも１つのキャッチを有し、前記キャッチは、前記第１の上側部品および前記第２の下側部品が、前記戻り止めおよびキャッチを介して接続されるように、前記上側部分の前記戻り止めを受け取るように適合されている、請求項２２に記載のカートリッジ。
【請求項２４】
水を使用して固体化学物質から化学溶液を作成する方法であって、前記方法は、主要水流ラインからのバイパスライン上に請求項１に記載の装置を設置することと、前記バイパスラインを通して前記主要水流ラインから水を流動させることと、化学溶液を前記主要水流ラインに戻すこととを含む、方法。
【手続補正２】
【補正対象書類名】明細書
【補正対象項目名】００２１
【補正方法】変更
【補正の内容】
【００２１】
別の実施形態では、水を使用して、固体化学物質から化学溶液を作成する方法が、提供される。方法は、主要水流ラインからのバイパスライン上に上記に説明される装置を設置するステップと、バイパスラインを通して主要水流ラインから水を流動させるステップとを含む。形成された水溶液は、次いで、主要水流ラインに戻される。
本願明細書は、例えば、以下の項目も提供する。
（項目１）
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備えている、装置。
（項目２）
前記筐体の前記上部は、固体化学物質を含むカートリッジまたは固体化学物質が前記筐体の中に挿入されることを可能にする開口部を備え、前記装置は、キャップをさらに備え、前記キャップは、前記筐体の前記開口部をおおうように、かつ前記筐体の前記上部との水密接続を形成するように適合されている、項目１に記載の装置。
（項目３）
前記キャップは、前記開口部をあらわにするために、かつ前記固体化学物質または前記固体化学物質を含むカートリッジが前記筐体の前記内部コンパートメントの中に挿入されることを可能にするために、前記筐体から除去可能である、項目２に記載の装置。
（項目４）
前記ノズルは、エダクターを備えている、項目１に記載の装置。
（項目５）
前記エダクターは、前記エダクターから前記筐体の前記上部に向かう水流が前記筐体内に存在するように、前記筐体の中に位置付けられている、項目４に記載の装置。
（項目６）
前記エダクターは、少なくとも１つの流体吸入ポートを備え、前記少なくとも１つの流体吸入ポートは、ベンチュリ効果を生成し、前記筐体の前記下側部分の中の水が、前記入口を通って前記エダクターに進入する水を伴って前記エダクターに引き込まれることと、前記筐体の前記上部に向かって噴霧されることとを可能にする、項目５に記載の装置。
（項目７）
カートリッジをさらに備え、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、前記筐体の前記上部と前記ノズルとの間において前記筐体の前記内部コンパートメントの中に収まるように適合され、前記カートリッジは、前記筐体の前記内部コンパートメントの中に位置している前記少なくとも１つの支持体と接触し、前記少なくとも１つの支持体は、前記カートリッジが前記筐体における前記開口部を通して前記内部コンパートメントの中に挿入され得るように、前記筐体の前記内部コンパートメント内に前記固体化学物質を含む前記カートリッジを位置付ける、項目２に記載の装置。
（項目８）
前記カートリッジの第１の端部は、多孔質グリッドを備え、前記カートリッジが前記筐体の前記内部コンパートメントの中に位置付けられるとき、前記カートリッジは、前記第１の端部が前記ノズルの近傍に位置付けられ、前記第２の端部が前記筐体の前記上部の近傍に位置付けられるように、前記筐体の中に挿入される、項目７に記載の装置。
（項目９）
前記多孔質グリッドは、第１の表面と、反対側の第２の表面とを有し、前記第１の表面は、前記第１の表面から離れ、前記カートリッジの内側チャンバに向かって外向きに延びている複数の突起を備え、前記多孔質グリッドの第２の表面は、前記カートリッジの内部チャンバから見て外方に向いている、項目８に記載の装置。
（項目１０）
前記複数の突起は、前記第１の表面から略垂直方向に延びている、項目９に記載の装置。
（項目１１）
前記複数の突起は、第１の端部と、第２の端部とを有し、前記突起の前記第１の端部は、前記多孔質グリッドの前記第１の表面に位置し、前記突起の前記第２の端部は、前記突起の前記第１の端部の反対側にあり、前記突起の前記第２の端部は、テーパ状端部を備えている、項目１０に記載の装置。
（項目１２）
前記少なくとも１つの支持体は、一連の支持体を備え、前記一連の支持体は、前記筐体の前記内部コンパートメントの中に設置されるカートリッジが異なる高さに位置付けられることを可能にする、項目１に記載の装置。
（項目１３）
前記一連の支持体は、前記内部コンパートメントの各側面上に位置する一連の段を備え、各支持体は、前記内部コンパートメントの反対側に前記内部コンパートメント内に補完的支持体を有する、項目１２に記載の装置。
（項目１４）
前記カートリッジは、上側部品と、下側部品とを備えている２つの部品を有し、前記上側部品および前記下側部品は、接続手段を用いて一緒に調節可能に接続される、項目７に記載の装置。
（項目１５）
接続手段は、戻り止めと、キャッチとを備え、前記上側部品または前記下側部品のうちの１つは、少なくとも１つの戻り止めを有し、前記戻り止めがない前記部品は、少なくとも１つのキャッチを有し、一方の部品の前記キャッチは、他方の部品の前記戻り止めを受け取るように適合され、前記戻り止めおよびキャッチは、前記上側部品を前記下側部品に接合し、前記カートリッジを形成する、項目８に記載の装置。
（項目１６）
前記上側部品は、第１の端部と、第２の端部と、前記上側部品の第１の端部を前記上側部品の第２の端部に接合する側面とを有し、前記上側部品の第１の端部は、開口部を有し、前記上側部品の側面は、前記戻り止めを有し、
前記下側部品は、第１の端部と、第２の端部と、前記下側部品の第１の端部を前記下側部品の第２の端部に接合する側面とを有し、前記下側部品の第２の端部は、開口部を有し、前記下側部品の側面は、前記少なくとも１つのキャッチを有し、前記キャッチは、前記第１の上側部品および前記第２の下側部品が前記戻り止めおよびキャッチを介して接続されるように、前記上側部分の戻り止めを受け取るように適合されている、
項目１５に記載の装置。
（項目１７）
前記下側部品の前記第２の端部は、前記下側部品の側面の外部表面が、前記上側部品の側面の内部表面に接触するように、前記上側部品の前記第１の端部の開口部の中に収まるようにサイズを決定され、成形され、前記上側部品の前記側面の内部表面上に少なくとも２つの戻り止めが存在し、前記下側部品の前記外部表面内に位置する複数のキャッチが存在する、項目１６に記載の装置。
（項目１８）
前記複数のキャッチは、前記下側部品の前記第２の端部の近傍に位置付けられた前記下側部品の前記外部側面に沿って位置付けられており、それによって、前記キャッチは、前記カートリッジの全長が調節されることを可能にし、前記カートリッジが前記装置の前記内部コンパートメント内に位置付けられるとき、前記下側部品の前記第１の端部が、前記ノズルのより近くまたはより遠くに位置付けられることを可能にする、項目１７に記載の装置。
（項目１９）
固体化学物質から水溶液を形成するための少なくとも１つの追加のモジュールであって、各追加のモジュールは、
ａ）上部と、側面と、底部とを有する追加の筐体であって、前記上部および前記底部は、前記側面によって互いに接続され、前記上部、前記側面、および前記底部は、追加の内部コンパートメントを形成し、前記追加の筐体は、上側部分と、下側部分とを有する、筐体と、
ｂ）前記追加の筐体の前記下側部分の中に位置している追加の入口であって、前記追加の入口は、前記固体化学物質と接触させられるべき水が前記追加の筐体に進入することを可能にする、追加の入口と、
ｃ）前記追加の筐体の前記上側部分の中に位置している追加の出口であって、前記追加の出口は、前記固体化学物質と接触させられた前記水が前記追加の筐体から退出することを可能にする、追加の出口と、
ｄ）前記追加の内部コンパートメント内に配置された追加のノズルであって、前記追加のノズルは、前記水の追加の入口に接続され、前記追加のノズルは、前記追加の筐体の前記下側部分において前記追加の筐体の前記追加の内部コンパートメント内に位置し、前記追加の入口を通って前記追加の筐体に進入する水が、前記追加の内部コンパートメント内の前記固体化学物質と接触することを可能にする、追加のノズルと、
ｅ）前記追加のノズルと前記追加の筐体の前記上部との間に位置付けられ、前記追加の内部コンパートメント内に位置している少なくとも１つの支持体であって、前記支持体は、前記固体化学物質を含むカートリッジを受け取り、それを前記追加の筐体の前記追加の内部コンパートメント内に位置付けるように、または前記筐体内で固体化学物質を支持するように適合されている、支持体と
を備えている、項目１に記載の装置。
（項目２０）
少なくとも１つの追加の水処理モジュールは、前記入口および前記追加の入口が単一の給水パイプに接続され、前記出口および前記追加の出口が同一の帰還パイプに接続されるように、第１の水処理モジュールと直列にある、項目１９に記載の装置。
（項目２１）
給水ラインと、水帰還ラインとをさらに備え、前記給水ラインおよび前記水帰還ラインは、主要流動ラインのバイパスラインを形成し、前記給水ラインは、第１の圧力を有する場所において水を移すように位置付けられ、前記水帰還ラインは、前記主要流動ラインの中の前記第１の圧力よりも低い第２の圧力を有する場所において処理済み水を戻すように位置付けられている、項目１に記載の装置。
（項目２２）
前記支持体は、多孔質グリッドを備え、前記多孔質グリッドは、第１の表面と、反対側の第２の表面とを有し、前記第１の表面は、前記第１の表面から離れ、前記カートリッジの前記内側チャンバに向かって外向きに延びている複数の突起を備え、前記多孔質グリッドの前記第２の表面は、前記カートリッジの前記内部チャンバから見て外方に向いている、項目１に記載の装置。
（項目２３）
固体化学物質を保持するためのカートリッジであって、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、水処理装置の内部コンパートメントの中に収まるように適合されており、前記カートリッジの前記第１の端部は、水が前記内部チャンバ内の固体化学物質と接触することを可能にするための多孔質グリッドを備え、前記多孔質グリッドは、第１の表面と、反対側の第２の表面とを有し、前記第１の表面は、前記第１の表面から離れ、前記カートリッジの前記内側チャンバに向かって外向きに延びている複数の突起を備え、前記多孔質グリッドの前記第２の表面は、前記カートリッジの前記内部チャンバから見て外方に向いている、カートリッジ。
（項目２４）
前記複数の突起は、第１の端部と、第２の端部とを有し、前記第１の端部は、前記多孔質グリッドの前記第１の表面に位置し、前記第２の端部は、前記突起の前記第１の端部の反対側にあり、前記第２の端部は、テーパ状端部を備えている、項目２３に記載のカートリッジ。
（項目２５）
前記カートリッジは、上側部品と、下側部品とを備えている２つの部品を有し、前記上側部品および前記下側部品は、接続手段を用いて一緒に調節可能に接続される、項目２３に記載のカートリッジ。
（項目２６）
前記上側部品は、第１の端部と、第２の端部と、前記上側部品の前記第１の端部を前記上側部品の前記第２の端部に接合する側面とを有し、前記上側部品の前記第１の端部は、開口部を有し、前記上側部品の前記側面は、前記戻り止めを有し、
前記下側部品は、第１の端部と、第２の端部と、前記下側部品の第１の端部を前記下側部品の前記第２の端部に接合する側面とを有し、前記下側部品の前記第２の端部は、開口部を有し、前記下側部品の前記側面は、前記少なくとも１つのキャッチを有し、前記キャッチは、前記第１の上側部品および前記第２の下側部品が、前記戻り止めおよびキャッチを介して接続されるように、前記上側部分の前記戻り止めを受け取るように適合されている、項目２５に記載のカートリッジ。
（項目２７）
水を使用して固体化学物質から化学溶液を作成する方法であって、前記方法は、主要水流ラインからのバイパスライン上に項目１に記載の装置を設置することと、前記バイパスラインを通して前記主要水流ラインから水を流動させることと、化学溶液を前記主要水流ラインに戻すこととを含む、方法。